(57)【要約】      （修正有）【課題】収納した標本の周側を余すことなく観察のできる標本ボックスを提供する。【解決手段】底壁部１ａと該底壁部１ａを取り囲む周壁部１ｂとで成るボックス本体に、標本ａを並べて取付ける標本台１１を、その上面１１が前記周壁部１ｂの上端面１１ｂ´とほぼ同面上に位置させて収設する。また、周壁部１ｂの前記上端面１ｂ´係合溝３を、上壁部２ａと該上壁部２ａを取り囲む側壁部２ｂとで成る、透明樹脂製の蓋枠２の前記側壁部２ｂの下端面２ｂ´に突条をそれぞれ設け、これら突条と係合溝３を係合前記ボックス本体と蓋枠２を互いに組合わせて止着する。【選択図】図１
0003137207.tif 000002
【実用新案登録請求の範囲】
【請求項１】
底壁部と該底壁部を取り囲む周壁部とで成るボックス本体に、標本を並べて取付ける標本台を、その上面が前記周壁部の上端面とほぼ同面上に位置させて収設すると共に、周壁部の前記上端面と、上壁部と該上壁部を取り囲む側壁部とで成る、透明樹脂製の蓋枠の前記周壁部の下端面のいずれか一方に無端の係合溝を、他方に無端の係合突条をそれぞれ設け、該係合溝と係合突条を係合して組合わせた前記ボックス本体と蓋枠を互いに止着した、標本ボックス。
【請求項２】
ボックス本体に標本台を収脱自在に収設した、請求項１記載の標本ボックス。
【請求項３】
互いに止着したボックス本体と蓋枠で取り囲んで構成する収納室内に、該収納室内に収納した昆虫標本等の物品の劣化を防ぐ窒素ガス等のガスを注入した、請求項１又は２項記載の標本ボックス。
【考案の詳細な説明】
【技術分野】
【０００１】
本考案は、昆虫その他の標本を保管するために用いる標本ボックスに関するものである。
【背景技術】
【０００２】
ボックス本体と透明パネルを嵌め込んだ蓋枠とから成る標本ボックスは公知であるが、この公知構造のものは、蓋枠を枠体に前記透明パネルを嵌め込んだ構成を採り、透明パネルつまりボックスの天板を通してのみ、ボックス内に収納した標本を見ることができるようになっている（例えば、特許文献１）。
【０００３】
【特許文献１】特開平７−２９１８０１号公報
【考案の開示】
【考案が解決しようとする課題】
【０００４】
前記従来構造のものは、ボックス本体の内側の空間域内に標本を納め、該標本を、いわば天板である透明パネルを通してのみしか観察することができない。従って、内部に納めた状態の標本の上面部のみしか見ることができず、ボックス外側から実物の有様を認識させる手段としての標本ボックスとして必ずしも満足のいくものではない。
【０００５】
本考案は斯様な従来例の欠点に着目し、保管した標本の側面側から余すことなく観察できる標本ボックスを提供することを目的として創案したものである。
【課題を解決するための手段】
【０００６】
底壁部と該底壁部を取り囲む周壁部とで成るボックス本体に、標本を並べて取付ける標本台を、その上面が前記周壁部の上端面とほぼ同面上に位置させて収設すると共に、周壁部の前記上端面と、上壁部と該上壁部を取り囲む側壁部とで成る、透明樹脂製の蓋枠の前記周壁部の下端面のいずれか一方に無端の係合溝を、他方に無端の係合突条をそれぞれ設け、該係合溝と係合突条を係合して組合わせた前記ボックス本体と蓋枠を互いに止着した構成としたものである。
【０００７】
なお、ボックス本体に標本台を収脱自在に収設した構成を付加することにより、標本台の利用を省略して、ボックス本体と蓋枠とで構成する標本ボックス内部を広くして、比較的大きな物品の保管にも適用することができる。
【０００８】
ボックス本体と蓋枠で構成する収納室内を収納物品の劣化を防ぐガスで充たせば、物品の保管上尚一層効果的である。
【考案の効果】
【０００９】
本考案によれば、上面がボックス本体の周壁部の上端面とほぼ同面上に位置する標本台上に標本を配し、該標本を透明樹脂で構成した蓋枠で取り囲む構成を採るから、蓋枠を通して標本を多方向から視覚することができ、殊に、保管状態の標本の側面を余すことなく観察でき、標本ボックスとして好適である。
【実施例】
【００１０】
図面は本考案に係る標本ボックスの一実施例を示し、図１は一部欠截正面図、図２は図１の平面図、図３は図１ａ−ａ線拡大断面図である。
【００１１】
本考案に係る標本ボックスはボックス本体１と蓋枠２を組付けて構成し、昆虫の標本、埋蔵文化財（土器の破片など）或いは鉱物等々の保管用として適用するものであるが、前記物品の展示用として用いても不都合はない。
【００１２】
ボックス本体１は、底壁部１ａと該底壁部１ａを取り囲む周壁部１ｂとで成る、上面開口の、鋳物製方形箱状体で成り、周壁部１ｂの上端面１ｂ´に、周壁部１ｂで取り囲んで形成した収納空間７ａを取り囲むようにした、無端の係合溝３を設け、該係合溝３と前記周壁部１ｂの４隅部に設けた（係合溝３より外側にして）ねじ孔４を利用して、前記蓋枠２を組付けるようにしたものである。
【００１３】
前記蓋枠２は、上壁部２ａと該上壁部２ａを取り囲む側壁部２ｂとで成る、下面開口の、透明アクリル樹脂製の、方形箱状体で成り、ボックス本体１の周壁部１ｂより幅広の高さ幅（縦幅）とした側壁部２ｂの下端面２ｂ´には、ボックス本体１の周壁部１ｂに設けた前記係合溝３と一致するようにして同じく無端の係合突条５を設けると共に、前記上壁部２ｂの４隅部の、この係合突条５の外側には、ボックス本体１側の前記ねじ孔４と一致させて、上壁部２ｂから側壁板２ｂに連通する貫通孔６を設けたものである。
【００１４】
そして、ボックス本体１の前記収納空間７ａ内に、例えば、土器の破片（埋蔵文化財の一である）ｂを、底壁部１ｂを受支材として収容し、ボックス本体１の周壁部１ｂの上端面１ｂ´に備えた係合溝３に柔軟性密封材８（シリコンゴムやウレタンゴムで成る）を介して蓋枠２の側壁部２ｂの下端面２ｂ´に設けた突条５を係合して、ボックス本体１に蓋枠２を組合わせ、蓋枠２側の貫通孔６を通じて組付けボルト９の先端をボックス本体１側のねじ孔４に螺合、締付けて前記物品ｂの保管状態を得ることができる。
【００１５】
なお、実施例の場合は、保管物の劣化を防ぐために、窒素ガス（アルゴンガスやアセチレンガスを用いる場合もある。要は劣化を防ぐガスであれば良い。）を注入できるようにしてあり、図示１０は、窒素ガスを本体１と蓋枠２で取り囲んで構成した収納室７内に注入するための弁装置を示し、弁装置１０は、蓋枠２の周壁部２ｂの相対する部分２ｂ´´，２ｂ´´すなわち蓋枠２の周壁部２ｂのほぼ対角位置に設けたもので、周壁部２ｂ´´の外側面に設けた凹入部１７に復元性弾性素材（実施例はゴム）より成る弁体１２と案内材１３を順次嵌合して取付け、案内材１３に設けた案内孔１３ａを通じて注射針状の針体１４の先端を弁体１２と周壁部２ｂ´´に設けた細孔１６を貫通させて収納室７と外部を連通させ、針体１４を該連通状態から離脱させることによって弁体１２の復元性によって収納室７の内外を閉塞するように構成したものである。
【００１６】
そして、針体１４を組合わせた一方の弁装置１０側から該針体１４を通じて収納室７内に窒素ガスを注入する一方（窒素ボンベが市販されている）、他方の弁装置１０側から窒素ガスの注入圧力により収納室７内のガスを排出するようにし、排出側に装置した検知器によって窒素ガスの排出を検出し、該検出によって収納室７内が窒素ガスで満たされたことを認識し、窒素ガスの注入操作を停止して保管状態を得るのである。
【００１７】
この窒素ガスの注入は、例えば、空気との接触によって容易に劣化する昆虫の標本の保管にきわめて有効である。
【００１８】
そして、実施例は、昆虫標本ａの保管に際し、ボックス本体１の収納７ａ内に、その上（表）面１１´がボックス本体１の周壁部１ｂの上端面１ｂ´とほぼ同面上に位置するように標本台１１を収脱自在に嵌合して収設し、表面１１´上に配した標本ａを先端を前記標本台１１に挟入して自立させるピン１３によって止着して用いるようにしてある。
【００１９】
標本ａを保管するための、この使用例の場合、標本ａを載置する標本台１１の上面１１´がボックス本体１の周壁部１ｂの上端面１ｂ´とほぼ同面上に位置するから、該上面１１´上の標本ａは、周壁部１ｂが邪魔になることなく、透明アクリル樹脂（透明樹脂であれば良い）で構成した蓋枠２の側壁部２ｂを通して保管状態の、該標本ａの側部も余すことなく観察することができるのである。
【００２０】
従って、標本台上面１１´と周壁部上端面１ｂ´は、厳密な意味での同面（面一）関係にある必要なく、蓋枠側壁部２ｂを通じて標本ａの周側を周壁部１ｂが邪魔にならず観察できる、同面（面一）関係であれば良い。
【００２１】
実施例の標本台１１は、発泡樹脂製のシート状本体１１ａとシナ合板製の緩和シート１１ｂで成り（実施例はこれらを別体にしてあるが、接着手段を用いて一体的にしても良い）、緩和シート１１ｂ上に前記表面１１´を構成するシート状本体１１ａを載置して構成したもので、シート状本体１１ａは、先端を標本ａを通じて挟入させ（突き刺し）た前記ピン１３が当該位置を保持し、標本ａを止着状態におけるものであれば不都合はなく、従って、ゴムでも良いし、植物繊維をバインダーで固めたもの等々でも不都合ではない。
【００２２】
緩和シート１１ｂは、前記シート状本体１１ａをピン１３が貫通したとき、ボックス本体１の金属質に圧接して該ピンが折れたり、屈曲したりするのを防ぐためのもので、ピン１３の先端は本体１１ａを通してこの緩和シート１１ｂ部に至ると、その前進（降下）が規制されて、わずかに嵌入し（刺さり）、更に荷重を加えねば前進（降下）しないので、ボックス本体１に接することがなく、ピン１３の損傷を防ぎ、損傷による取り替えの煩雑さを回避できる。従って、緩和シート１１ｂは必ずしも木質材で構成する必要はないが、少なくも、本体１１ａよりピン１３先が刺さりにくい部材で構成すべきである。
【００２３】
実施例では、係合突条５を蓋枠１側に、係合溝３をボックス本体１側に設けてあるが、この配置態様を逆にしても不都合はない。また、弁装置１０は、ガスを外部からボックス内に注入できるが、内部からは人為的に行わない限り排出できない構造のものであれば良く、実施例構造に限定する必要はない。
【図面の簡単な説明】
【００２４】
【図１】一部欠截正面図。
【図２】図１の平面図。
【図３】図１ａ−ａ線拡大断面図。
【符号の説明】
【００２５】
１      ボックス本体
１ａ    底壁部
１ｂ    周壁部
２      蓋枠
２ａ    上壁部
２ｂ    側壁部
３      係合溝
５      係合突条
１１    標本台
【図１】
0003137207.tif 000003
【図２】
0003137207.tif 000004
【図３】
0003137207.tif 000005
【手続補正書】
【提出日】平成19年9月21日(2007.9.21)
【手続補正１】
【補正対象書類名】明細書
【補正対象項目名】００１５
【補正方法】変更
【補正の内容】
【００１５】
なお、実施例の場合は、保管物の劣化を防ぐために、窒素ガス（アルゴンガスを用いる場合もある。要は劣化を防ぐガスであれば良い。）を注入できるようにしてあり、図示１０は、窒素ガスを本体１と蓋枠２で取り囲んで構成した収納室７内に注入するための弁装置を示し、弁装置１０は、蓋枠２の周壁部２ｂの相対する部分２ｂ´´，２ｂ´´すなわち蓋枠２の周壁部２ｂのほぼ対角位置に設けたもので、周壁部２ｂ´´の外側面に設けた凹入部１７に復元性弾性素材（実施例はゴム）より成る弁体１２と案内材１３を順次嵌合して取付け、案内材１３に設けた案内孔１３ａを通じて注射針状の針体１４の先端を弁体１２と周壁部２ｂ´´に設けた細孔１６を貫通させて収納室７と外部を連通させ、針体１４を該連通状態から離脱させることによって弁体１２の復元性によって収納室７の内外を閉塞するように構成したものである。